(57)【要約】【課題】情報処理装置の操作に関して使い勝手の向上を図る。【解決手段】文字を入力するための文字入力用ウインドウ２８と該文字入力用ウインドウに入力する文字を選択するための文字選択用ウインドウ２７とをディスプレイ５に同時に表示可能とし、文字入力用ウインドウに入力された文字の位置に追従するように文字選択用ウインドウを移動して表示するようにした。【選択図】        図１５
2004272647.tif 000002
【特許請求の範囲】
【請求項１】
ディスプレイと複数の所定の入力キーを有するキーボードとを備えた情報処理装置であって、
文字を入力するための文字入力用ウインドウと該文字入力用ウインドウに入力する文字を選択するための文字選択用ウインドウとが上記ディスプレイに同時に表示可能とされ、
文字入力用ウインドウに入力された文字の位置に追従するように文字選択用ウインドウを移動して表示するようにした
ことを特徴とする情報処理装置。
【請求項２】
上記文字選択用ウインドウを文字入力用ウインドウに入力された末尾の文字の近傍に表示するようにした
ことを特徴とする請求項１に記載の情報処理装置。
【請求項３】
上記文字入力用ウインドウに入力された文字の位置に拘わらず、文字選択用ウインドウの全体をディスプレイに表示するようにした
ことを特徴とする請求項１に記載の情報処理装置。
【請求項４】
上記文字選択用ウインドウが文字入力用ウインドウに入力される文字の候補を複数表示する候補リストのウインドウである
ことを特徴とする請求項１に記載の情報処理装置。
【請求項５】
ディスプレイと複数の所定の入力キーを有するキーボードとを備えた情報処理装置におけるウインドウの表示方法であって、
文字を入力するための文字入力用ウインドウと該文字入力用ウインドウに入力する文字を選択するための文字選択用ウインドウとを上記ディスプレイに同時に表示し、
文字入力用ウインドウに入力された文字の位置に追従するように文字選択用ウインドウを移動して表示する
ことを特徴とする情報処理装置におけるウインドウの表示方法。
【請求項６】
上記文字選択用ウインドウを文字入力用ウインドウに入力された末尾の文字の近傍に表示するようにした
ことを特徴とする請求項５に記載の情報処理装置におけるウインドウの表示方法。
【請求項７】
上記文字入力用ウインドウに入力された文字の位置に拘わらず、文字選択用ウインドウの全体をディスプレイに表示するようにした
ことを特徴とする請求項５に記載の情報処理装置におけるウインドウの表示方法。
【請求項８】
上記文字選択用ウインドウが文字入力用ウインドウに入力される文字の候補を複数表示する候補リストのウインドウである
ことを特徴とする請求項５に記載の情報処理装置におけるウインドウの表示方法。
【請求項９】
ディスプレイと複数の所定の入力キーを有するキーボードとを備えた情報処理装置におけるウインドウの表示制御プログラムであって、
文字を入力するための文字入力用ウインドウと該文字入力用のウインドウに入力する文字を選択するための文字選択用ウインドウとを上記ディスプレイに同時に表示する表示ステップと、
文字入力用ウインドウに入力された文字の位置に追従するように文字選択用ウインドウを移動して表示する移動表示ステップとを備えた
ことを特徴とする情報処理装置におけるウインドウの表示制御プログラム。
【請求項１０】
上記文字選択用ウインドウを文字入力用ウインドウに入力された末尾の文字の近傍に表示するようにした
ことを特徴とする請求項９に記載の情報処理装置におけるウインドウの表示制御プログラム。
【請求項１１】
上記文字入力用ウインドウに入力された文字の位置に拘わらず、文字選択用ウインドウの全体をディスプレイに表示するようにした
ことを特徴とする請求項９に記載の情報処理装置におけるウインドウの表示制御プログラム。
【請求項１２】
上記文字選択用ウインドウが文字入力用ウインドウに入力される文字の候補を複数表示する候補リストのウインドウである
ことを特徴とする請求項９に記載の情報処理装置におけるウインドウの表示制御プログラム。
【発明の詳細な説明】
【０００１】
【発明の属する技術分野】
本発明は情報処理装置、情報処理装置におけるウインドウの表示方法及び情報処理装置におけるウインドウの表示制御プログラムに関する。詳しくは、情報処理装置の操作に関して使い勝手の向上を図る技術分野に関する。
【０００２】
【従来の技術】
ディスプレイと複数の所定の入力キーを有するキーボードとを備えた情報処理装置、例えば、パーソナルコンピューター、ＰＤＡ（Ｐｅｒｓｏｎａｌ  Ｄｉｇｉｔａｌ  Ａｓｓｉｓｔａｎｔ）、携帯電話等がある。
【０００３】
このような情報処理装置には、文字を入力するための文字入力用ウインドウと該文字入力用ウインドウに入力する文字を選択するための文字選択用ウインドウとをディスプレイに同時に表示させ、文字選択用ウインドウの文字を順次選択して文字入力用ウインドウに入力し、文字入力用ウインドウへの文字入力を簡易な操作によって行うことができるようにしたものがある（例えば、特許文献１参照）。
【０００４】
【特許文献１】
特開２００２―１０１１７８号公報
【０００５】
【発明が解決しようとする課題】
ところが、上記した従来の情報処理装置にあっては、文字入力用ウインドウに文字が入力されるときに、入力位置に応じた各一定の位置に文字選択用ウインドウが表示される（特許文献１の第４図乃至第６図参照）ため、文字入力用ウインドウに入力する文字と文字選択用ウインドウとの間で視点を大きく動かす必要があり、文字の入力効率が低いという問題がある。
【０００６】
また、従来の情報処理装置にあっては、文字入力用ウインドウに文字を入力する位置と文字選択用ウインドウとの重なりを回避するために、文字選択用ウインドウを分割して表示するようにしている（特許文献１の第６図（ｂ）参照）が、この場合には文字選択用ウインドウが分割されているため、文字選択用ウインドウが見づらくなってしまい、使い勝手が悪くなってしまうと言う不具合がある。
【０００７】
そこで、本発明情報処理装置は、上記した問題点を克服し、情報処理装置の操作に関して使い勝手の向上を図ることを課題とする。
【０００８】
【課題を解決するための手段】
本発明情報処理装置は、上記した課題を解決するために、文字を入力するための文字入力用ウインドウと該文字入力用ウインドウに入力する文字を選択するための文字選択用ウインドウとをディスプレイに同時に表示可能とし、文字入力用ウインドウに入力された文字の位置に追従するように文字選択用ウインドウを移動して表示するようにしたものである。
【０００９】
本発明情報処理装置におけるウインドウの表示方法は、上記した課題を解決するために、文字を入力するための文字入力用ウインドウと該文字入力用ウインドウに入力する文字を選択するための文字選択用ウインドウとを上記ディスプレイに同時に表示し、文字入力用ウインドウに入力された文字の位置に追従するように文字選択用ウインドウを移動して表示するようにしたものである。
【００１０】
本発明情報処理装置におけるウインドウの表示制御プログラムは、上記した課題を解決するために、文字を入力するための文字入力用ウインドウと該文字入力用のウインドウに入力する文字を選択するための文字選択用ウインドウとを上記ディスプレイに同時に表示する表示ステップと、文字入力用ウインドウに入力された文字の位置に追従するように文字選択用ウインドウを移動して表示する移動表示ステップとを設けたものである。
【００１１】
従って、本発明情報処理装置、情報処理装置におけるウインドウの表示方法及び情報処理装置におけるウインドウの表示制御プログラムにあっては、文字入力用ウインドウに文字を入力する都度、文字選択用ウインドウが文字入力用ウインドウに追従して移動される。
【００１２】
【発明の実施の形態】
以下に、本発明の実施の形態を添付図面に従って説明する。尚、以下に示す実施の形態は、本発明を携帯機器としても使用可能な情報処理装置（パーソナルコンピューター）に適用したものである。
【００１３】
情報処理装置１は表示部２と装置本体部３とを備えている（図１乃至図３参照）。
【００１４】
表示部２は表示用筐体４と該表示用筐体４に配置されたディスプレイ５とを有している。
【００１５】
表示用筐体４は、外形が略矩形状に形成された枠状を為すフロントパネル６と、外形が略矩形状に形成されフロントパネル６側に開口された浅い箱状を為すリアパネル７とが結合されて成り、表示用筐体４の外周側の部分が枠部８として設けられている。
【００１６】
表示部２は装置本体部３の後端部において、左右方向に延びるヒンジ部９を介して回動自在に支持されている。表示部２は非使用時には装置本体部３の後述するキーボードを閉塞する閉塞位置まで回動される（図２参照）。
【００１７】
ヒンジ部９は、図１及び図３に示すように、ヒンジ筒１０と該ヒンジ筒１０の内部に配置されたヒンジ軸１１、１１とによって構成され、ヒンジ筒１０は表示側ヒンジ筒１２と本体側ヒンジ筒１３、１３とから成る。
【００１８】
表示側ヒンジ筒１２は表示用筐体４から突出され、該表示用筐体４と一体に形成されている。
【００１９】
本体側ヒンジ筒１３、１３は装置本体部３の後縁から突出され、該装置本体部３の外筐と一体に形成されている。
【００２０】
表示側ヒンジ筒１２の左右両端部と本体側ヒンジ筒１３、１３との間には、図１及び図３に示すように、それぞれヒンジ軸１１、１１が配置され、該ヒンジ軸１１、１１によって表示側ヒンジ筒１２と本体側ヒンジ筒１３、１３とが連結されている。
【００２１】
装置本体部３の上面部３ａには、図１及び図４に示すように、その後端部を除いた部分に横長のキーボード１４が設けられ、該キーボード１４は複数の所定の入力キー１５、１５、・・・を有している。装置本体部３の内部にはＣＰＵ（中央演算処理装置）等の処理手段が設けられており、キーボード１４の入力キー１５、１５、・・・等に対する操作によって入力された信号についての各処理が行われる。
【００２２】
入力キー１５、１５、・・・は複数の異なる種類の各キーから成る（図４参照）。
【００２３】
最後列、即ち、第１列には、前の操作の段階に戻すため等のエスケープキーや所定の機能を実行させるためのファンクションキー（Ｆ１〜Ｆ１２）等が配置されている。
【００２４】
最後列の前側の第２列乃至第５列には、所定の数字やカナを入力するための入力キー、入力された文字等の消去を行うデリートキー及びバックスペースキー等が配置され、第３列と第４列とに跨って入力等を確定するためのエンターキーが配置されている。
【００２５】
最前列、即ち、第６列には、他の入力キー１５、１５、・・・と組み合わせて使用され特定の機能を実行するためのコントロールキー及びオルトキー、ウインドウズソフトウェアのスタートメニューを表示するためのウインドウズキー、スペースを設ける等のためのスペースキー等が配置されている。キーボード１４にはディスプレイ５に表示されるカーソルを上下左右へ移動させるためのカーソルキーは設けられていない。
【００２６】
入力キー１５、１５、・・・のうち左端側に配置された一部の入力キー１５、１５、・・・は、後述する補助入力用のソフトウェアの起動時において文字等の入力を行うための補助入力キー１５ａ、１５ａ、・・・としても設けられている（図４に網掛けで示す。）。補助入力用のソフトウェアを起動した状態において、例えば、「あ」の文字入力は、「あ」の補助入力キー１５ａを１回押圧操作し、「い」の文字入力は、「あ」の補助入力キー１５ａを２回押圧操作することにより行うことができる。
【００２７】
装置本体部３の上面部３ａの後端部には、その右端部に、ポインティングデバイス１６が配置されている。ポインティングデバイス１６に任意の方向へ指で力を加えて操作することにより、ディスプレイ５に表示されるポインタを操作の方向に応じた任意の方向へ移動させることができる。
【００２８】
ポインティングデバイス１６の外周側の近傍の位置には、周方向に等間隔に離隔して４つのカーソルキー１７、１７、・・・が配置されている。カーソルキー１７、１７、・・・を操作することにより、ディスプレイ５上に表示されるカーソルを所定の方向、即ち、上下左右へ移動させることができる。
【００２９】
カーソルキー１７、１７、・・・の外側の近傍の位置には、それぞれ円弧状に形成された切替釦１８と補助入力用の補助入力用釦１９とが配置されている。切替釦１８は表示画面の向きの切替及び表示画面の解像度の切替を行うためのものであり、補助入力用釦１９は簡易な操作で文字入力を行うためのソフトウェア（以下、「補助入力用ソフトウェア」と言う。）の起動等を行うためのものであり、補助入力用ソフトウェアを起動する起動釦としての機能と該ソフトウェアにおいてディスプレイ５に表示された項目から選択する項目を決定する選択決定釦としての機能を有する。
【００３０】
切替釦１８を操作することにより、ディスプレイ５に表示される画面を９０°回転させることができると共に画面の拡大表示をすることができる。
【００３１】
装置本体部３の上面部３ａの後端部には、その左端部にマウスの各釦に相当する左釦２０、右釦２１及び中釦２２が配置されている。左釦２０と右釦２１は中釦２２を周囲から囲むように配置され、それぞれ円弧状に形成されている。
【００３２】
装置本体部３の上面部３ａの後端部には、切替釦１８及び補助入力用釦１９の左側の位置に、それぞれ電源釦２３、スタンバイ釦２４及び輝度調整釦２５が左右に離隔して配置されている。電源釦２３は電源の入力を行うためのものであり、スタンバイ釦２４は省電力動作モードと通常の電力動作モードとの切替等を行うためのものであり、輝度調整釦２５はディスプレイ５のバックライトの点灯制御を行うためのものである。
【００３３】
装置本体部３の上面部３ａの後端部には、電源釦２３の左側の位置に、スピーカー２６が設けられている。
【００３４】
情報処理装置１を使用する際には、表示部２を装置本体部３に対して任意の角度開放する（図１、図５及び図６参照）。このように表示部２を装置本体部３に対して任意の角度開放することにより、情報処理装置１を据置用の機器又は携帯用の機器として使用することができる。
【００３５】
情報処理装置１を携帯用の機器として使用する場合には、操作者は、例えば、図５に示すように、装置本体部３の左右両側縁を両手で把持した状態で操作する。
【００３６】
また、情報処理装置１にあっては、上記したように、切替釦１８を操作することにより、表示画面を９０°回転させることが可能であるため、例えば、情報処理装置１を携帯用の機器として使用する場合に、図６に示すように、装置本体部３と表示部２とが左右に位置するように横向きにして使用することもできる。
【００３７】
以下に、上記した各釦の主な機能について説明する。
【００３８】
ポインティングデバイス１６を任意の方向へ指で力を加えて操作することにより、上記したように、ディスプレイ５に表示されるポインタを操作の方向に応じた任意の方向へ移動させることができる。このときポインティングデバイス１６に加える力を調節することにより、ポインタの移動速度を調節することができる。
【００３９】
カーソルキー１７、１７、・・・を操作することにより、上記したように、ディスプレイ５上に表示されるカーソルを上下左右へ移動させることができる。
【００４０】
切替釦１８を操作することにより、上記したように、ディスプレイ５に表示される画面を９０°回転させることができると共に画面の拡大表示をすることができる。従って、情報処理装置１にあっては、画面のモードとして、例えば、横向き通常モード、横向き拡大モード、縦向き通常モード及び縦向き拡大モードの４つのモードの設定が可能とされ、横向き通常モードの画素数は、例えば、１０２４×７６８に設定され、横向き拡大モードの画素数は、例えば、８００×６００に設定され、縦向き通常モードの画素数は、例えば、７６８×１０２４に設定され、縦向き拡大モードの画素数は、例えば、６００×８００に設定される。
【００４１】
補助入力用釦１９を操作することにより、補助入力用ソフトウェアを起動することができる。補助入力用ソフトウェアは予測変換機能を有しており、入力された文字から変換候補を予測してディスプレイ５に表示する。
【００４２】
左釦２０を１回押圧操作することにより、例えば、ポインタによって指示されたソフトウェアやメニューの選択を行うことができ、２回連続して押圧操作することによりポインタによって指示されたソフトウェアやメニューの起動（実行）を行うことができる。尚、左釦２０の１回の押圧操作によるソフトウェアやメニューの選択、２回の押圧操作によるソフトウェアやメニューの起動（実行）は、上記したように、ポインティングデバイス１６を１回又は２回押圧操作（クリック）することによっても行うことができる。
【００４３】
右釦２１を押圧操作することにより、カーソルの位置に種々の内容を含むサブメニュー（ポップアップメニュー）を表示することができる。サブメニューの内容の選択はポインティングデバイス１６又はカーソルキー１７、１７、・・・を操作することにより行うことができ、選択されたサブメニューの内容の実行は左釦２０、ポインティングデバイス１６又はキーボード１４のエンターキーを操作することにより行うことができる。
【００４４】
また、例えば、ポインタを所望の項目、例えば、ディスプレイ５に表示されるアイコンに合わせ、左釦２０を押圧操作した状態でポインティングデバイス１６に任意の方向へ力を加えて操作することにより、ポインタを合わせた項目をディスプレイ５上の任意の位置に移動させることができる。
【００４５】
さらに、中釦２２を押圧操作した状態でポインティングデバイス１６を所定の方向へ力を加えて操作することにより、表示画面を所定の方向へスクロールすることができる。例えば、中釦２２を押圧操作した状態において、ポインティングデバイス１６を左右方向へ操作することにより表示画面を左右方向へスクロールすることができ、ポインティングデバイス１６を上下方向へ操作することにより表示画面を上下方向へスクロールすることができる。
【００４６】
以下に、補助入力用ソフトウェアを使用する際の補助入力作業の一例を説明する（図７乃至図１５参照）。
【００４７】
補助入力用釦１９を押圧操作すると、上記したように、補助入力用ソフトウェアが起動されて、文字を選択するための文字選択用ウインドウ２７がディスプレイ５に表示される（図７参照）。文字選択用ウインドウ２７は後述する文字入力用ウインドウに入力される文字の候補を複数表示する候補リストのウインドウであり、文字選択用ウインドウ２７には、入力中文字表示部２７ａと予測変換候補表示部２７ｂが設けられている。
【００４８】
続いて、入力を行うためのワードプロセッサー等の所望のソフトウェアを起動し、ディスプレイ５に文字を入力するための文字入力用ウインドウ２８を表示する（図８参照）。文字入力用ウインドウ２８は文字選択用ウインドウ２７より画面が大きくされており、文字選択用ウインドウ２７は文字入力用ウインドウ２８中に同時に表示されることになる（表示ステップ）。
【００４９】
尚、補助入力用ソフトウェアの起動と文字の入力を行うためのワードプロセッサー等の所望のソフトウェアの起動とは、順不同であり、先にディスプレイ５に文字入力用ウインドウ２８を表示し、次いでディスプレイ５に文字選択用ウインドウ２７を表示してもよく、また、文字選択用ウインドウ２７と文字入力用ウインドウ２８とが同時にディスプレイ５に表示されるような設定とされていてもよい。
【００５０】
文字入力用ウインドウ２８の所望の入力位置にカーソル２９を移動させる（図８参照）。カーソル２９の移動はカーソルキー１７、１７、・・・を操作するか、又は、ポインティングデバイス１６を操作してポインタ３０を移動させることにより行う。
【００５１】
例えば、文字入力用ウインドウ２８のカーソル２９の位置に「本日の議題」と入力したい場合には、先ず、「は」の補助入力キー１５ａを５回押圧操作する。「は」の補助入力キー１５ａを５回押圧操作すると、文字選択用ウインドウ２７の入力中文字表示部２７ａに「ほ」が表示されると共に予測変換候補表示部２７ｂに「ほ」に関連した複数の予測変換候補が表示される（図９参照）。入力中文字表示部２７ａに文字が表示されると、文字選択用ウインドウ２７がカーソル２９の近傍の位置に移動される（図９参照）。
【００５２】
次に、予測変換候補表示部２７ｂに表示された予測変換候補の中から、入力しようとする「本日」又は「本日の」を検索して選択する。検索は「本日」又は「本日の」が予測変換候補表示部２７ｂに表示されるまでカーソルキー（下向き）１７を繰り返し押圧操作して行う（図１０参照）。
【００５３】
例えば、予測変換候補表示部２７ｂに「本日」が表示されたときに、「本日」を選択して補助入力用釦１９を押圧操作して入力を確定する。入力が確定すると、図１１に示すように、文字入力用ウインドウ２８のカーソル２９の位置に「本日」が入力される。
【００５４】
文字入力用ウインドウ２８のカーソル２９の位置に「本日」が入力されると、入力中文字表示部２７ａに表示されていた文字は消去される。このとき、文字入力用ウインドウ２８に文字を誤入力していた場合等には、例えば、キーボード１４に設けられたデリートキー又はバックスペースキーを操作することによって、文字入力用ウインドウ２８に入力した文字を消去することができる。
【００５５】
尚、文字入力用ウインドウ２８に入力した文字の消去は、文字選択用ウインドウ２７を消去した状態において、デリートキー又はバックスペースキーを操作することによっても行うことができる。
【００５６】
次に、「な」の補助入力キー１５ａを５回押圧操作する。「な」の補助入力キー１５ａを５回押圧操作すると、入力中文字表示部２７ａに「の」が表示されると共に予測変換候補表示部２７ｂに「の」に関連した複数の予測変換候補が表示される（図１２参照）。
【００５７】
次いで、予測変換候補表示部２７ｂに表示された「の」を選択し補助入力用釦１９を押圧操作して入力を確定する。入力が確定すると、図１３に示すように、文字入力用ウインドウ２８のカーソル２９の位置に「の」が入力され、文字入力用ウインドウ２８に「本日の」が入力される。
【００５８】
次に、「か」の補助入力キー１５ａを２回押圧操作し、続いて「記号」の補助入力キー１５ａを１回押圧操作すると、入力中文字表示部２７ａに「ぎ」が表示されると共に予測変換候補表示部２７ｂに「ぎ」に関連した複数の予測変換候補が表示される（図１４参照）。
【００５９】
次いで、予測変換候補表示部２７ｂに表示された予測変換候補の中から、入力しようとする「議題」を検索して選択する。検索は「議題」が予測変換候補表示部２７ｂに表示されるまでカーソルキー（下向き）１７を繰り返し押圧操作して行う（図１５参照）。
【００６０】
「議題」が表示されたときに、「議題」を選択し補助入力用釦１９を押圧操作して入力を確定する。入力が確定すると、図１５に示すように、文字入力用ウインドウ２８のカーソル２９の位置に「議題」が入力され、文字入力用ウインドウ２８に「本日の議題」が入力される。
【００６１】
以上のようにして文字入力用ウインドウ２８に「本日の議題」が入力されたところで補助入力作業を終了する。
【００６２】
上記した補助入力作業において、文字入力用ウインドウ２８のカーソル２９の位置に文字が入力されると、入力された末尾の文字に追従して、その近傍に文字選択用ウインドウ２７が移動されて表示される（移動表示ステップ）。即ち、上記した補助入力作業の例においては、「本日」（図１１参照）、「本日の」（図１３参照）、「本日の議題」（図１５参照）の各末尾の文字に追従して、その下側の近傍の位置に文字選択用ウインドウ２７が移動される。
【００６３】
また、文字選択用ウインドウ２７は、文字入力用ウインドウ２８に入力された末尾の文字の位置に拘わらず、常に、全体がディスプレイ５に表示される。例えば、図１６に示すように、文字入力用ウインドウ２８に文字がディスプレイ５の右端側まで入力されたときには、文字選択用ウインドウ２７は文字の下側に沿って表示され、ディスプレイ５に文字選択用ウインドウ２７の全体が表示される。また、例えば、ディスプレイ５の文字が表示された以外の部分に、文字選択用ウインドウ２７が表示されるスペースがなくなったときには、図１７に示すように、入力された末尾の文字の上側の近傍の位置に、入力された文字に重ねられた状態で文字選択用ウインドウ２７が表示され、ディスプレイ５に文字選択用ウインドウ２７の全体が表示される。
【００６４】
以下に、文字選択用ウインドウ２７の全体をディスプレイ５に常に表示させるための制御動作を、図１８に示すフローチャート図に従って説明する。
【００６５】
文字入力用ウインドウ２８及び文字選択用ウインドウ２７がディスプレイ５に表示され予測変換候補表示部２７ｂに文字が入力されると、制御動作が開始される。
【００６６】
（Ｓ１）文字入力用ウインドウ２８における文字入力位置の座標、即ち、カーソル２９の座標が取得される。カーソル２９の座標が取得されると（Ｓ２）へ移行する。
【００６７】
（Ｓ２）ディスプレイ５の画面解像度が取得される。画面解像度のモードとしては、上記したように、画素数が１０２４×７６８、８００×６００、７６８×１０２４、６００×８００の４つのモードがあり、これらの何れかのモードの画面解像度が取得される。画面解像度が取得されると（Ｓ３）へ移行する。
【００６８】
（Ｓ３）（Ｓ１）で取得されたカーソル２９の座標と（Ｓ２）で取得された画面解像度に基づいて、文字選択用ウインドウ２７の全体がディスプレイ５に表示されるか否かが判別される。文字選択用ウインドウ２７の全体がディスプレイ５に表示されると判別された場合には、（Ｓ４）へ移行される。一方、文字選択用ウインドウ２７の全体がディスプレイ５に表示されないと判別された場合には、（Ｓ５）へ移行される。
【００６９】
（Ｓ４）文字選択用ウインドウ２７が位置補正されずにディスプレイ５にそのまま表示される。
【００７０】
（Ｓ５）文字選択用ウインドウ２７の全体がディスプレイ５に表示されるように位置補正されて、補正された位置に文字選択用ウインドウ２７が表示される。
【００７１】
（Ｓ４）又は（Ｓ５）の表示がされると、制御動作が完了する。
【００７２】
以上に記載した通り、情報処理装置１にあっては、文字入力用ウインドウ２８に入力された文字の位置に追従するように文字選択用ウインドウ２７が移動されてディスプレイ５に表示されるため、文字入力用ウインドウ２８に文字を入力するときに、文字入力用ウインドウ２８に入力される文字と文字選択用ウインドウ２７との間で視点を大きく動かす必要がなく、文字の入力効率の向上を図ることができる。
【００７３】
また、文字選択用ウインドウ２７が文字入力用ウインドウ２８に入力された文字の位置に追従して移動されるため、文字入力用ウインドウ２８の文字を入力する位置と文字選択用ウインドウ２７との重なりの回避のために文字選択用ウインドウ２７を分割して表示する必要がなく、文字選択用ウインドウ２７の視認性が良好であり、情報処理装置１の使い勝手の向上を図ることができる。
【００７４】
さらに、文字選択用ウインドウ２７が文字入力用ウインドウ２８に入力された末尾の文字の近傍の位置に移動されるため、文字入力用ウインドウ２８への文字の入力位置を迅速かつ的確に把握することができ、補助入力作業における作業性の向上を図ることができる。
【００７５】
さらにまた、文字入力用ウインドウ２８に入力された文字の位置に拘わらず、文字選択用ウインドウ２７の全体がディスプレイ５に表示されるため、補助入力作業における情報処理装置１の一層の使い勝手の向上を図ることができる。
【００７６】
加えて、文字選択用ウインドウ２７は文字入力用ウインドウ２８に入力される文字の候補を複数表示する候補リストのウインドウであり、文字入力用ウインドウ２８に入力される文字と文字選択用ウインドウ２７に表示される候補リストの間での視点の移動が少なく、候補リストの選択を容易に行うことができる。
【００７７】
尚、上記には、情報処理装置の例としてパーソナルコンピューターを示したが、情報処理装置はパーソナルコンピューターに限られることはなく、ＰＤＡや携帯電話等の他の種類の情報処理装置であってもよい。
【００７８】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００７９】
【発明の効果】
以上に記載したところから明らかなように、本発明情報処理装置は、ディスプレイと複数の所定の入力キーを有するキーボードとを備えた情報処理装置であって、文字を入力するための文字入力用ウインドウと該文字入力用ウインドウに入力する文字を選択するための文字選択用ウインドウとが上記ディスプレイに同時に表示可能とされ、文字入力用ウインドウに入力された文字の位置に追従するように文字選択用ウインドウを移動して表示するようにしたことを特徴とする。
【００８０】
従って、文字入力用ウインドウに文字を入力するときに、文字入力用ウインドウに入力される文字と文字選択用ウインドウとの間で視点を大きく動かす必要がなく、文字の入力効率の向上を図ることができる。
【００８１】
また、文字選択用ウインドウが文字入力用ウインドウに入力された文字の位置に追従して移動されるため、文字入力用ウインドウの文字を入力する位置と文字選択用ウインドウとの重なりの回避のために文字選択用ウインドウを分割して表示する必要がなく、文字選択用ウインドウの視認性が良好であり、情報処理装置の使い勝手の向上を図ることができる。
【００８２】
請求項２に記載した発明にあっては、上記文字選択用ウインドウを文字入力用ウインドウに入力された末尾の文字の近傍に表示するようにしたので、文字入力用ウインドウへの文字の入力位置を迅速かつ的確に把握することができ、文字の入力作業における作業性の向上を図ることができる。
【００８３】
請求項３に記載した発明にあっては、上記文字入力用ウインドウに入力された文字の位置に拘わらず、文字選択用ウインドウの全体をディスプレイに表示するようにしたので、補助入力作業における情報処理装置の使い勝手の向上を図ることができる。
【００８４】
請求項４に記載した発明にあっては、上記文字選択用ウインドウが文字入力用ウインドウに入力される文字の候補を複数表示する候補リストのウインドウであるので、文字入力用ウインドウに入力される文字と文字選択用ウインドウに表示される候補リストの間での視点の移動が少なく、候補リストの選択を容易に行うことができる。
【００８５】
本発明情報処理装置におけるウインドウの表示方法は、ディスプレイと複数の所定の入力キーを有するキーボードとを備えた情報処理装置におけるウインドウの表示方法であって、文字を入力するための文字入力用ウインドウと該文字入力用ウインドウに入力する文字を選択するための文字選択用ウインドウとを上記ディスプレイに同時に表示し、文字入力用ウインドウに入力された文字の位置に追従するように文字選択用ウインドウを移動して表示することを特徴とする。
【００８６】
従って、文字入力用ウインドウに文字を入力するときに、文字入力用ウインドウに入力される文字と文字選択用ウインドウとの間で視点を大きく動かす必要がなく、文字の入力効率の向上を図ることができる。
【００８７】
また、文字選択用ウインドウが文字入力用ウインドウに入力された文字の位置に追従して移動されるため、文字入力用ウインドウの文字を入力する位置と文字選択用ウインドウとの重なりの回避のために文字選択用ウインドウを分割して表示する必要がなく、文字選択用ウインドウの視認性が良好であり、情報処理装置の使い勝手の向上を図ることができる。
【００８８】
請求項６に記載した発明にあっては、上記文字選択用ウインドウを文字入力用ウインドウに入力された末尾の文字の近傍に表示するようにしたので、文字入力用ウインドウへの文字の入力位置を迅速かつ的確に把握することができ、文字の入力作業における作業性の向上を図ることができる。
【００８９】
請求項７に記載した発明にあっては、上記文字入力用ウインドウに入力された文字の位置に拘わらず、文字選択用ウインドウの全体をディスプレイに表示するようにしたので、補助入力作業における情報処理装置の使い勝手の向上を図ることができる。
【００９０】
請求項８に記載した発明にあっては、上記文字選択用ウインドウが文字入力用ウインドウに入力される文字の候補を複数表示する候補リストのウインドウであるので、文字入力用ウインドウに入力される文字と文字選択用ウインドウに表示される候補リストの間での視点の移動が少なく、候補リストの選択を容易に行うことができる。
【００９１】
本発明情報処理装置におけるウインドウの表示制御プログラムは、ディスプレイと複数の所定の入力キーを有するキーボードとを備えた情報処理装置におけるウインドウの表示制御プログラムであって、文字を入力するための文字入力用ウインドウと該文字入力用のウインドウに入力する文字を選択するための文字選択用ウインドウとを上記ディスプレイに同時に表示する表示ステップと、文字入力用ウインドウに入力された文字の位置に追従するように文字選択用ウインドウを移動して表示する移動表示ステップとを備えたことを特徴とする。
【００９２】
従って、文字入力用ウインドウに文字を入力するときに、文字入力用ウインドウに入力される文字と文字選択用ウインドウとの間で視点を大きく動かす必要がなく、文字の入力効率の向上を図ることができる。
【００９３】
また、文字選択用ウインドウが文字入力用ウインドウに入力された文字の位置に追従して移動されるため、文字入力用ウインドウの文字を入力する位置と文字選択用ウインドウとの重なりの回避のために文字選択用ウインドウを分割して表示する必要がなく、文字選択用ウインドウの視認性が良好であり、情報処理装置の使い勝手の向上を図ることができる。
【００９４】
請求項１０に記載した発明にあっては、上記文字選択用ウインドウを文字入力用ウインドウに入力された末尾の文字の近傍に表示するようにしたので、文字入力用ウインドウへの文字の入力位置を迅速かつ的確に把握することができ、文字の入力作業における作業性の向上を図ることができる。
【００９５】
請求項１１に記載した発明にあっては、上記文字入力用ウインドウに入力された文字の位置に拘わらず、文字選択用ウインドウの全体をディスプレイに表示するようにしたので、補助入力作業における情報処理装置の使い勝手の向上を図ることができる。
【００９６】
請求項１２に記載した発明にあっては、上記文字選択用ウインドウが文字入力用ウインドウに入力される文字の候補を複数表示する候補リストのウインドウであるので、文字入力用ウインドウに入力される文字と文字選択用ウインドウに表示される候補リストの間での視点の移動が少なく、候補リストの選択を容易に行うことができる。
【図面の簡単な説明】
【図１】図２乃至図１８と共に本発明の実施の形態を示すものであり、本図は表示部を開いた状態で示す情報処理装置の斜視図である。
【図２】表示部を閉じた状態で示す情報処理装置の斜視図である。
【図３】表示部を閉じた状態で示す情報処理装置の背面図である。
【図４】装置本体部を示す平面図である。
【図５】図６と共に情報処理装置を携帯用の機器として使用する場合の使用例を示すものであり、本図は一例を示す斜視図である。
【図６】別の一例を示す斜視図である。
【図７】図８乃至図１５と共に補助入力作業を行う際の手順の一例を示すものであり、本図は補助入力用ソフトウェアが起動されて文字選択用ウインドウが表示された状態を示す図である。
【図８】文字入力が行われるソフトウェアが起動されて文字入力用ウインドウが表示された状態を示す図である。
【図９】図８に引き続き、文字選択用ウインドウに、補助入力キーの操作により入力された文字と予測変換候補が表示された状態を示す図である。
【図１０】図９に引き続き、所望の予測変換候補が選択された状態を示す図である。
【図１１】図１０に引き続き、選択された予測変換候補が文字入力用ウインドウに入力された状態を示す図である。
【図１２】図１１に引き続き、文字選択用ウインドウに、補助入力キーの操作により入力された文字と予測変換候補が表示された状態を示す図である。
【図１３】図１２に引き続き、選択された予測変換候補が文字入力用ウインドウに入力された状態を示す図である。
【図１４】図１３に引き続き、文字選択用ウインドウに、補助入力キーの操作により入力された文字と予測変換候補が表示された状態を示す図である。
【図１５】図１４に引き続き、選択された予測変換候補が文字入力用ウインドウに入力された状態を示す図である。
【図１６】文字がディスプレイの右端側まで入力されたときの文字選択用ウインドウの位置を示す図である。
【図１７】ディスプレイの文字が表示された以外の部分に文字選択用ウインドウが表示されるスペースがなくなったときの文字選択用ウインドウの位置を示す図である。
【図１８】文字選択用ウインドウの全体をディスプレイに常に表示させるための制御動作を示すフローチャート図である。
【符号の説明】
１…情報処理装置、５…ディスプレイ、１４…キーボード、１５…入力キー、２７…文字選択用ウインドウ、２８…文字入力用ウインドウ
【図１】
2004272647.tif 000003
【図２】
2004272647.tif 000004
【図３】
2004272647.tif 000005
【図４】
2004272647.tif 000006
【図５】
2004272647.tif 000007
【図６】
2004272647.tif 000008
【図７】
2004272647.tif 000009
【図８】
2004272647.tif 000010
【図９】
2004272647.tif 000011
【図１０】
2004272647.tif 000012
【図１１】
2004272647.tif 000013
【図１２】
2004272647.tif 000014
【図１３】
2004272647.tif 000015
【図１４】
2004272647.tif 000016
【図１５】
2004272647.tif 000017
【図１６】
2004272647.tif 000018
【図１７】
2004272647.tif 000019
【図１８】
2004272647.tif 000020